(57)【要約】【課題】光ディスク回転駆動機構の駆動により光ディスクが回転する際に生じる騒音等を抑制することのできるディスク装置を提供すること。【解決手段】本発明のディスク装置１は、金属板で構成された外装ケース２５を有している。このディスク装置１では、外装ケース２５は、その側面に、第１の側板２２２ａと、該第１の側板２２２ａの内側にある第２の側板２２３ａとを有している。第１の側板２２２ａは、該ディスク装置１を固定するための少なくとも一つの製品固定用孔２６を有し、製品固定用孔２６の付近は、第２の側板２２３ａに内側から覆われており、第１の側板２２２ａと第２の側板２２３ａとの間には、少なくとも製品固定用孔２６の付近に空隙９が形成されており、空隙９は、製品固定用孔２６を介して第１の側板２２２ａの外側と連通している。【選択図】図５
2005044471.tif 000002
【特許請求の範囲】
【請求項１】
光ディスクに記録された情報を再生する機能を有するディスク装置であって、
金属板で構成された外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを備え、
前記外装ケースは、その側面に、第１の側板と、該第１の側板の内側にある第２の側板とを有し、
前記第１の側板は、当該ディスク装置を固定するための少なくとも一つの製品固定用孔を有し、
前記製品固定用孔の付近は、前記第２の側板に内側から覆われており、
前記第１の側板と前記第２の側板との間には、少なくとも前記製品固定用孔の付近に空隙が形成されており、
前記空隙は、前記製品固定用孔を介して前記第１の側板の外側と連通していることを特徴とするディスク装置。
【請求項２】
前記第１の側板と前記第２の側板とで二重になっている二重部分の前記製品固定用孔の付近以外の部分では、前記第１の側板と前記第２の側板とが接触している請求項１に記載のディスク装置。
【請求項３】
前記第１の側板と前記第２の側板とで二重になっている二重部分の面積は、前記側面の投影面積の３０％以上を占めている請求項１または２に記載のディスク装置。
【請求項４】
前記第１の側板は、前記外装ケースの天板および底板の一方と一体的に形成されており、前記第２の側板は、前記外装ケースの天板および底板の他方と一体的に形成されている請求項１ないし３のいずれかに記載のディスク装置。
【請求項５】
前記第１の側板は、前記外装ケースの底板と一体的に形成されており、
前記外装ケースの底板は、当該ディスク装置を固定するための少なくとも一つの製品固定用孔を有し、
前記空隙は、前記第１の側板の製品固定用孔および前記外装ケースの底板の製品固定用孔を介して前記外装ケースの外側と連通している請求項４に記載のディスク装置。
【請求項６】
前記製品固定用孔は、雌ネジが形成されたネジ孔である請求項１ないし５のいずれかに記載のディスク装置。
【発明の詳細な説明】
【技術分野】
【０００１】
本発明は、光ディスクを再生、または記録／再生するディスク装置に関する。
【背景技術】
【０００２】
ＣＤ−ＲＯＭ、ＣＤ−Ｒ、ＣＤ−ＲＷ、ＤＶＤ等の光ディスクを再生、または記録／再生するディスク装置が知られている。このディスク装置は、箱状の装置本体と、該装置本体に対し移動可能なディスクトレイとを有し、光ディスクは、ディスクトレイに収納され、ディスクトレイの移動により装置本体に装填される。装置本体内部には、ターンテーブルを有する光ディスク回転駆動機構が搭載されたシャーシが上下動可能に設置されている。また、装置本体の天板には、ディスククランパが回転可能に設置されている（例えば、特許文献１参照）。
【０００３】
装置本体に光ディスクが装填されると、シャーシとともにターンテーブルが上昇することにより、ターンテーブルに光ディスクが装着され、さらに、ディスククランパがターンテーブルとの間で光ディスクを挟持する。この状態で、光ディスク回転駆動機構の駆動により、ターンテーブルが回転し、それに伴い、光ディスクおよびディスククランパが回転する。
【０００４】
さて、このようなディスク装置では、光ディスク回転駆動機構の駆動により光ディスクが回転する際、その回転等により振動が発生し、騒音を招いていた。
【０００５】
さらに、この騒音は、ディスク装置を設置するのに主に用いられる、そのディスク装置の側面に形成された雌ネジ孔から洩れるという問題があった。
【０００６】
【特許文献１】実開平７−４１７３６号公報
【発明の開示】
【発明が解決しようとする課題】
【０００７】
本発明の目的は、光ディスク回転駆動機構の駆動により光ディスクが回転する際に生じる騒音等を抑制することのできるディスク装置を提供することにある。
【課題を解決するための手段】
【０００８】
このような目的は、下記（１）〜（６）の本発明により達成される。
（１）  光ディスクに記録された情報を再生する機能を有するディスク装置であって、
金属板で構成された外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを備え、
前記外装ケースは、その側面に、第１の側板と、該第１の側板の内側にある第２の側板とを有し、
前記第１の側板は、当該ディスク装置を固定するための少なくとも一つの製品固定用孔を有し、
前記製品固定用孔の付近は、前記第２の側板に内側から覆われており、
前記第１の側板と前記第２の側板との間には、少なくとも前記製品固定用孔の付近に空隙が形成されており、
前記空隙は、前記製品固定用孔を介して前記第１の側板の外側と連通していることを特徴とするディスク装置。
【０００９】
（２）  前記第１の側板と前記第２の側板とで二重になっている二重部分の前記製品固定用孔の付近以外の部分では、前記第１の側板と前記第２の側板とが接触している上記（１）に記載のディスク装置。
【００１０】
（３）  前記第１の側板と前記第２の側板とで二重になっている二重部分の面積は、前記側面の投影面積の３０％以上を占めている上記（１）または（２）に記載のディスク装置。
【００１１】
（４）  前記第１の側板は、前記外装ケースの天板および底板の一方と一体的に形成されており、前記第２の側板は、前記外装ケースの天板および底板の他方と一体的に形成されている上記（１）ないし（３）のいずれかに記載のディスク装置。
【００１２】
（５）  前記第１の側板は、前記外装ケースの底板と一体的に形成されており、
前記外装ケースの底板は、当該ディスク装置を固定するための少なくとも一つの製品固定用孔を有し、
前記空隙は、前記第１の側板の製品固定用孔および前記外装ケースの底板の製品固定用孔を介して前記外装ケースの外側と連通している上記（４）に記載のディスク装置。
【００１３】
（６）  前記製品固定用孔は、雌ネジが形成されたネジ孔である上記（１）ないし（５）のいずれかに記載のディスク装置。
【発明の効果】
【００１４】
本発明によれば、光ディスク回転駆動機構の駆動により光ディスクが回転する際に生じる騒音等が洩れないような外装ケースを形成することにより、このような騒音等を抑制することができる。
【発明を実施するための最良の形態】
【００１５】
以下、本発明のディスク装置を添付図面に示す好適な実施形態に基づいて詳細に説明する。
【００１６】
図１は、本発明のディスク装置の実施形態を示す平面図、図２は、図１に示すディスク装置の内部構造を示す平面図、図３は、図１に示すディスク装置を示す断面側面図、図４は、本発明のディスク装置の実施形態を示す側面図、図５は、図４中のＡ−Ａ線断面図、図６は、図４中のＢ−Ｂ線断面図である。なお、以下では、説明の都合上、特に述べない限り、図１および図２の左方を「左」、右方を「右」、図３および図４中の左方を「前」、右方を「後」、図３ないし図６中の上方を「上」、下方を「下」として説明する。
【００１７】
これらの図に示すディスク装置１は、音楽用ＣＤ、ＣＤ−ＲＯＭ、ＣＤ−Ｒ、ＣＤ−ＲＷ、ＤＶＤ等の光ディスク２００に記録された情報を再生する機能（または記録／再生する機能）を有する装置であって、例えばパソコンのようなコンピュータ装置（図示せず）の本体に対し設置されるものである。
【００１８】
これらの図に示すように、ディスク装置１は、外装ケース２５を有する装置本体２と、光ディスク２００を載置し、装置本体２に対し前後方向に移動するディスクトレイ１１と、装置本体２内に設置されたスレッドメカユニット３とを備えている。以下、各部の構成について説明する。
【００１９】
図１ないし図３に示すように、装置本体２は、フレーム２１と、フレーム２１を覆うように構成された外装ケース２５と有している。
【００２０】
外装ケース２５は、フレーム２１の下面、側面および上面に、それぞれ、底板２２１と、第１の側板２２２ａ、２２２ｂ、２２２ｃおよび２２２ｄと、天板（蓋体）２３とを有している。
【００２１】
フレーム２１には、ディスクトレイ１１、ディスクトレイ移動機構１６、スレッドメカユニット３、メイン回路基板１２等が設置（搭載）されている。
【００２２】
フレーム２１には、前述した外装ケース２５が有している部材が例えばビス止めにより固定されている。また、フレーム２１と天板２３との間には、ディスクトレイ１１を収納する空間が形成される。
【００２３】
なお、フレーム２１およびディスクトレイ１１は、それぞれ、樹脂材料で成形されたものである。また、前述した外装ケース２５が有している部材は、それぞれ、金属板をプレス成形等により所定に変形させてなる板状部材である。
【００２４】
天板２３の後述するターンテーブル５２に対向する部分には、内面側に盛り上がるような凹部２３１が成形されており、ディスククランパ８がこの凹部２３１に回転可能に設置されている。なお、凹部２３１の外側は、円板２４により塞がれているのが好ましい。
【００２５】
メイン回路基板１２には、ディスク装置１の諸動作を制御する回路が形成されているとともに、前記コンピュータ装置の本体と接続するためのインターフェイスコネクタや、マイクロプロセッサ、メモリ、モータドライバなどの各種ＩＣや、抵抗、コンデンサ、スイッチなどの各種電子部品が搭載されている。図３に示すように、メイン回路基板１２は、後述するスレッドメカユニット３（シャーシ４）の下側に設置されている。
【００２６】
ディスクトレイ１１は、浅い凹状のディスク収納部１１１を有しており、光ディスク２００は、このディスク収納部１１１に収納された状態で搬送される。
【００２７】
ディスクトレイ１１は、フレーム２１に搭載されたディスクトレイ移動機構１６の駆動により、装置本体２に対し前後方向に移動（摺動）する。すなわち、ディスクトレイ１１は、装置本体２に対し、光ディスク２００を装填する装填位置（図３に示す位置）と、光ディスク２００を排出する排出位置（図１に示す位置）とに移動可能になっている。ディスクトレイ１１が装填位置にある状態（以下、「装填状態」と言う）では、ディスクトレイ１１は、その全体が装置本体２に収納される。ディスクトレイ１１が排出位置にある状態（以下、「排出状態」と言う）では、ディスクトレイ１１は、その大半が装置本体２より前方に突出する。
【００２８】
図２に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００２９】
枠部材１３は、駆動機構１７の駆動により、装填状態では天板２３および底板２２１とほぼ平行な姿勢となり（図３参照）、排出状態ではその前方側が下方向に変位して天板２３および底板２２１に対し傾斜した姿勢となるように変位する。
【００３０】
枠部材１３の内側には、スレッドメカユニット３が位置している。スレッドメカユニット３は、主に、シャーシ４と、光ディスク回転駆動機構５と、光ピックアップ（光学ヘッド）６と、光ピックアップ移動機構７とで構成されている。
【００３１】
シャーシ４は、縁部にリブ（壁部）が形成されたほぼ板状の形状をなしており、このシャーシ４に光ディスク回転駆動機構５と、光ピックアップ６と、光ピックアップ移動機構７とがそれぞれ設置（搭載）されている。
【００３２】
シャーシ４は、３個のゴムブッシュ（弾性部材）１４を介して枠部材１３に固定されている。すなわち、シャーシ４は、装置本体２に対しゴムブッシュ１４を介して支持されている。このゴムブッシュ１４により、振動や衝撃を吸収することができる。
【００３３】
光ディスク回転駆動機構５は、スピンドルモータ５１と、該スピンドルモータ５１のロータ５１１に固定されたターンテーブル５２とを有しており、シャーシ４の前側に設置されている。光ディスク回転駆動機構５は、ターンテーブル５２に光ディスク２００を装着（載置）して、この光ディスク２００を回転駆動するものである。
【００３４】
光ピックアップ６は、対物レンズ６１と、該対物レンズ６１を光軸方向（フォーカシング）および光ディスク２００の半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスク２００の記録面へ照射されたレーザ光の反射光を、対物レンズ、ビームスプリッタ（またはハーフミラー）等を介して受光素子へ導く構成のものである。
【００３５】
対物レンズ６１は、装填状態では、ディスクトレイ１１に形成された開口１１２よりディスク収納部１１１内に露出し、光ディスク２００の記録面と対面する。
【００３６】
支持部材６３は、例えばダイキャストで製造されるような金属材料で構成されている。支持部材６３の図２中の左側には、ガイドシャフト７６を挿通する孔が形成された一対の摺動部６４が形成されている。また、支持部材６３の図２中の右側には、ガイドシャフト７７に係合し、このガイドシャフト７７に沿って摺動する摺動部６５が形成されている。
【００３７】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００３８】
スレッドモータ７１が駆動すると、その回転力がウォーム７２、大径ギア７３、小径ギア７４およびラックギア７５に順次伝達され、支持部材６３がガイドシャフト７６、７７に沿って光ディスク２００の径方向（半径方向）に所定の移動範囲内で移動する。この場合、スレッドモータ７１の回転方向により、支持部材６３は、光ディスク２００の回転中心に接近する方向または回転中心から遠ざかる方向に移動する。
【００３９】
シャーシ４（スレッドメカユニット３）は、枠部材１３と共に装置本体２に対し回動する。図３に示すように、この回動中心である軸１３１は、シャーシ４の後端付近に位置する。すなわち、シャーシ４の後端は、回動中心となり装置本体２に対しほぼ変位しない回動端４１であり、シャーシ４の前端は、装置本体２に対しほぼ上下方向に変位する変位端４２になっている。
【００４０】
このような構成により、シャーシ４（スレッドメカユニット３）は、装填状態では、変位端４２側が上昇して、天板２３および底板２２１にほぼ平行な姿勢になり（図３参照）、排出状態では、変位端４２側が下降して、天板２３および底板２２１に対し傾斜した姿勢になる。これに伴って、光ディスク回転駆動機構５は、装置本体２内で上昇位置（図３に示す位置）と下降位置とに移動する。
【００４１】
光ディスク回転駆動機構５が下降位置にあるときには、ターンテーブル５２は、ディスクトレイ１１の下側に位置し、排出位置に移動するディスクトレイ１１と干渉しないようになっている。
【００４２】
光ディスク回転駆動機構５が上昇位置にあるときには、ターンテーブル５２は、開口１１２よりディスク収納部１１１内に突出（露出）し、これにより、装置本体２内に装填された光ディスク２００がターンテーブル５２に装着（載置）される。この状態では、ディスククランパ８がターンテーブル５２に設置された磁石（図示せず）に吸着され、これにより、光ディスク２００がターンテーブル５２とディスククランパ８との間で挟持される。
【００４３】
さて、このようなディスク装置１では、図１、図４ないし図６に示すように、外装ケース２５は、その側面に、第１の側板２２２ａと、該第１の側板２２２ａの内側にある第２の側板２２３ａと、第１の側板２２２ｃと、該第１の側板２２２ｃの内側にある第２の側板２２３ｃを有している。
【００４４】
なお、以降の第１の側板に関する記載は、第１の側板２２２ａを代表として、第２の側板に関する記載は、第２の側板２２３ａを代表として記載することとする。また、図４中のハッチング部は、第１の側板２２２ａと第２の側板２２３ａとで二重になっている二重部分１０を表している。
図４および図５に示すように、第１の側板２２２ａおよび底板２２１は、ディスク装置１を固定するための少なくとも一つ（本実施形態では６つ）の製品固定用孔２６を有し、製品固定用孔２６の付近は、第２の側板２２３ａに内側から覆われている。
【００４５】
図５および図６に示すように、第１の側板２２２ａは、底板２２１に対してほぼ直角に、かつ該第１の側板２２２ａの内面２２４ａの上方が天板２３に接触するように、底板２２１と一体的に形成されている。
第２の側板２２３ａは、天板２３に対してほぼ直角に、かつ該第２の側板２２３ａの縁部２２５ａが底板２２１に接触するように、天板２３と一体的に形成されている。
【００４６】
また、図５に示すように、製品固定用孔２６の付近では、第２の側板２２３ａは、内側に向かって窪んだ形状をなしている凹部２２６ａを有している。これにより、第１の側板２２２ａと第２の側板２２３ａとの間には、空隙９が形成されている。この空隙９は、製品固定用孔２６を介して第１の側板２２２ａの外側と連通している。
【００４７】
これにより、第１の側板２２２ａの外側と第２の側板２２３ａの内側とを遮断することができる。従来では、光ディスク回転駆動機構５の駆動による光ディスク２００が回転する際に生じる騒音が製品固定用孔２６からディスク装置１の外側へ洩れていた。一方、本実施形態では、第２の側板２２３ａにより外装ケース２５が密閉された状態（製品固定用孔２６が覆われた状態）となり、該騒音がディスク装置１の外側へ洩れることを防止することができる。すなわち、ディスク装置１の外側への騒音を抑制することができる。特に、製品固定用孔２６を覆う部材が遮音性の高い金属板で構成されているので、例えば樹脂のような部材で覆われているときよりも、より確実に騒音が洩れることを防止することができる。
【００４８】
また、図６に示すように、二重部分１０の製品固定用孔２６の付近以外の部分では、第１の側板２２２ａの内面２２４ａと第２の側板２２３ａの外面とが接触している。これにより、空隙９が必要以上に（無駄に）形成されるのを防止することができる。すわなち、ディスク装置１（外装ケース２５）内のデッドスペースが形成されるのを防止することができる。
【００４９】
二重部分１０の面積（図４中のハッチング部の面積）は、二重部分１０が設けられている外装ケース２５の側面の投影面積の３０％以上を占めているのが好ましい。また、その二重部分１０の面積は、６０％以上であるのがより好ましく、７０〜９９％であるのがさらに好ましい。これにより、二重部分１０の面積が大きくなるため、騒音をより効率よく抑制することができる。なお、図示の例では、二重部分１０の面積は、７５％を占めている。
【００５０】
また、このような製品固定用孔２６は、その内周面に雌ネジが形成されたネジ孔である。これによって、例えば、パーソナルコンピュータ、音楽用ＣＤプレーヤ、カーナビゲーション装置、ワークステーションのような電子機器等にディスク装置１を取り付ける際、ネジ止めにより、容易に取り付けることができる。
【００５１】
また、前述したように、製品固定用孔２６を覆う部材（部分）が、天板２３と一体的に形成されていることにより、ディスク装置１内を設計する際の設計の自由度が増すとともに、このディスク装置１を構成する部品の部品点数の削減および部品の小型化によるコストダウンを行うことができる。
【００５２】
また、前述したように、第１の側板２２２ａと底板２２１とが一体的に形成されており、第２の側板２２３ａと天板２３が一体的に形成されていることにより、外装ケース２５を構成する部品点数およびそれを組み立てる組立工数を削減することができる。
【００５３】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【００５４】
なお、本発明のディスク装置は、本実施形態のように、第１の側板が外装ケースの底板と一体的に形成されており、第２の側板が外装ケースの天板と一体的に形成されているのに限定されず、第１の側板が外装ケースの天板と一体的に形成されており、第２の側板が外装ケースの底板と一体的に形成されていてもよい。
【図面の簡単な説明】
【００５５】
【図１】本発明のディスク装置の実施形態を示す平面図である。
【図２】図１に示すディスク装置の内部構造を示す平面図である。
【図３】図１に示すディスク装置を示す断面側面図である。
【図４】本発明のディスク装置の実施形態を示す側面図である。
【図５】図４中のＡ−Ａ線断面図である。
【図６】図４中のＢ−Ｂ線断面図である。
【符号の説明】
【００５６】
１            ディスク装置
１１          ディスクトレイ
１１１        ディスク収納部
１１２        開口
１２          メイン回路基板
１３          枠部材
１３１        軸
１４          ゴムブッシュ
１６          ディスクトレイ移動機構
１７          駆動機構
２            装置本体
２１          フレーム
２２１        底板
２２２ａ      第１の側板
２２２ｂ      第１の側板
２２２ｃ      第１の側板
２２２ｄ      第１の側板
２２３ａ      第２の側板
２２３ｃ      第２の側板
２２４ａ      内面
２２５ａ      縁部
２２６ａ      凹部
２２７ａ      外面
２３          天板
２３１        凹部
２４          円板
２５          外装ケース
２６          製品固定用孔
３            スレッドメカユニット
４            シャーシ
４１          回動端
４２          変位端
５            光ディスク回転駆動機構
５１          スピンドルモータ
５１１        ロータ
５２          ターンテーブル
６            光ピックアップ
６１          対物レンズ
６２          アクチュエータ
６３          支持部材
６４          摺動部
６５          摺動部
７            光ピックアップ移動機構
７１          スレッドモータ
７２          ウォーム
７３          大径ギア
７４          小径ギア
７５          ラックギア
７６          ガイドシャフト
７７          ガイドシャフト
８            ディスククランパ
９            空隙
１０          二重部分
２００        光ディスク
【図１】
2005044471.tif 000003
【図２】
2005044471.tif 000004
【図３】
2005044471.tif 000005
【図４】
2005044471.tif 000006
【図５】
2005044471.tif 000007
【図６】
2005044471.tif 000008